(57)【要約】【課題】表示領域とこれを囲む枠体状の額縁領域を備え、被搭載部品に搭載される表示装置であって、額縁領域を狭幅化しつつ、意匠性に優れた表示装置とする。【解決手段】ケース６と透光性カバー８とによりなる収容空間９に、表示領域１１に位置する発光部２１および額縁領域１２に位置する非発光部２２を備える表示パネル２を、発光部２１と非発光部２２とが異なる方向を向くように湾曲した状態で収容する。これにより、表示パネル２の一面２ａに対する法線方向から見て、表示パネル２全体が平坦形状とされた場合に比べて、非発光部２２の平面サイズが小さくなり、額縁領域１２が狭幅化できる。また、透光性カバー８は、表面８ａ、裏面８ｂおよび側面８ｃを有し、断面視にて表面８ａと側面８ｃとの境界が角形状の角部８ｄとされる。そのため、表示装置が被搭載部品に搭載された状態において、これらの間に溝が生じず、意匠性が向上する。【選択図】図２
2020091369.tif 000002
【特許請求の範囲】
【請求項１】
映像が表示される表示領域（１１）と、前記表示領域を囲む枠体状の額縁領域（１２）とを備え、被搭載部品に搭載される表示装置（１）であって、
前記映像を表示するために用いられる発光部（２１）と、前記発光部を囲む枠体状の非発光部（２２）と、を有する表示パネル（２）と、
ケース（６）と、
前記ケースに取り付けられると共に、前記表示パネルを覆う透光性カバー（８）と、を備え、
前記表示パネルは、前記ケースと前記透光性カバーとによりなる収容空間（９）に一部が湾曲した状態で収容されると共に、前記非発光部の少なくとも一部が前記発光部と異なる方向を向く状態とされており、
前記透光性カバーは、前記ケースと向き合う裏面（８ｂ）と、その反対側の表面（８ａ）と、前記表面と裏面との間の面である側面（８ｃ）と、前記表面と前記側面との境界が断面視にて角形状とされた角部とを有しており、
前記角部は、前記透光性カバーのうち前記額縁領域に位置する部分である周縁部（８２）に位置している、表示装置。
【請求項２】
前記表示パネルは、前記非発光部の一端側の部分およびその反対の他端側の部分がともに前記発光部と異なる方向を向く湾曲状態とされている、請求項１に記載の表示装置。
【請求項３】
前記発光部の駆動条件を制御する制御部（４）をさらに備え、
前記発光部のうち平坦形状とされた部分を平坦発光部（２１１）とし、前記発光部のうち前記非発光部に隣接する部分であって湾曲形状とされた部分を湾曲発光部（２１２）として、
前記制御部は、前記表面に対する法線方向から前記表示パネルを見たとき、前記平坦発光部の輝度と前記湾曲発光部の輝度との差が所定の値以下となる輝度制御を行う、請求項１または２に記載の表示装置。
【請求項４】
断面視にて、前記平坦発光部から垂直放射される光（Ｌ１）と前記湾曲発光部から垂直放射される光（Ｌ２）との角度を湾曲角度（θ）として、
前記制御部は、前記輝度制御において、前記湾曲角度に応じて前記湾曲発光部の駆動条件を制御する、請求項３に記載の表示装置。
【請求項５】
前記発光部の駆動条件を制御する制御部（４）をさらに備え、
前記発光部のうち前記非発光部に隣接する部分であって湾曲形状とされた部分を湾曲発光部（２１２）として、
前記制御部は、前記表面に対する法線方向から前記表示パネルを見たとき、前記湾曲発光部から生じた光の色度が、前記湾曲発光部が湾曲させられる前の平坦形状とされた場合に生じた光の色度と同じになるように前記湾曲発光部の駆動条件を制御する、請求項１ないし４のいずれか１つに記載の表示装置。
【請求項６】
前記発光部の駆動条件を制御する制御部（４）をさらに備え、
前記発光部のうち前記非発光部に隣接する部分であって湾曲形状とされた部分を湾曲発光部（２１２）として、
前記制御部は、前記表面に対する法線方向から前記表示パネルを見たとき、前記湾曲発光部から生じた光により前記表示領域に表示される映像が、前記湾曲発光部が湾曲させられる前の平坦形状であるとした場合に表示される映像と同じになるように前記湾曲発光部の駆動条件を制御する、請求項１ないし５のいずれか１つに記載の表示装置。
【発明の詳細な説明】
【技術分野】
【０００１】
本発明は、表示領域およびその外側領域である額縁領域を備え、額縁領域が狭幅化された表示装置に関する。
【背景技術】
【０００２】
従来、この種の表示装置としては、例えば、特許文献１に記載のものが挙げられる。特許文献１に記載の表示装置は、バックライト、表示パネル、透光性カバーが順次重畳されており、バックライトからの光が表示パネルおよび透光性カバーを介してユーザ側に向かう構成とされている。
【０００３】
このような構成において、表示パネルは、ユーザ側から正面視したとき、バックライトからの光を通す表示領域と、その外側に配置され、当該光を遮蔽する額縁領域とを備える。また、透光性カバーは、正面視したとき、端部側の領域に表示領域と額縁領域との境界上を跨ぐように形成された曲面形状を備える。表示領域を透過するバックライトからの光のうち額縁領域付近のもの、かつ額縁領域より外側に向かう光は、断面視にて、透光性カバーのうち曲面形状を介してユーザ側に曲げられる。つまり、透光性カバーは、曲面形状とされた部分がレンズとしての役割を果たす。
【０００４】
これにより、額縁領域よりもさらに外側に向かう拡散光の一部が、透光性カバーの曲面形状を介してユーザ側に曲げられることで、ユーザは、額縁領域の上にも映像が表示されているように見える。そのため、特許文献１に記載の表示装置は、額縁領域が実際よりも狭く感じ、実質的に額縁領域が狭幅化された構成となる。
【先行技術文献】
【特許文献】
【０００５】
【特許文献１】国際公開第２０１４／００２８５９号
【発明の概要】
【発明が解決しようとする課題】
【０００６】
ところで、近年、自動車などの車両にこのような額縁領域が狭幅化された表示装置を搭載することが検討されている。この種の表示装置を車載用途に適用する場合に考えられる態様としては、例えば、インストルメントパネルなどの内装部品に搭載されるセンターディスプレイや各種メータなどの表示器が挙げられる。このように、他の被搭載部品に搭載され、一体的に用いられる用途では、この種の表示装置は、意匠性も要求される。
【０００７】
具体的には、この種の表示装置は、意匠性の観点から、透光性カバーのうち被搭載部品との境界部分が当該被搭載部品との間に溝や隙間などが生じない形状、すなわち当該被搭載部品との連続性を維持する形状とされることが好ましい。
【０００８】
しかしながら、特許文献１に記載の表示装置は、透光性カバーのうちユーザ側の周縁部が曲面形状のため、被搭載部品に搭載された際に、被搭載部品と透光性カバーの周縁部との間に溝が生じてしまい、意匠性の観点から好ましくない。また、特許文献１に記載の表示装置を被搭載部品に搭載した場合に、このような溝を生じさせないためには、被搭載部品の形状を透光性カバーの周縁部の曲面形状に合わせた形状とすることが考えられるが、この場合、意匠の自由度が狭くなってしまう。
【０００９】
本発明は、上記の点に鑑みてなされたものであり、額縁領域を狭幅化しつつも、被搭載部品の形状を変更することなく、被搭載部品に搭載された状態（以下「搭載状態」という）での意匠性に優れた表示装置を提供することを目的とする。
【課題を解決するための手段】
【００１０】
上記目的を達成するため、請求項１に記載の表示装置は、映像が表示される表示領域（１１）と、表示領域を囲む枠体状の額縁領域（１２）とを備え、被搭載部品に搭載される表示装置（１）であって、映像を表示するために用いられる発光部（２１）と、発光部を囲む枠体状の非発光部（２２）と、を有する表示パネル（２）と、ケース（６）と、ケースに取り付けられると共に、表示パネルを覆う透光性カバー（８）と、を備える。このような構成において、表示パネルは、ケースと透光性カバーとによりなる収容空間（９）に一部が湾曲した状態で収容されると共に、非発光部の少なくとも一部が発光部と異なる方向を向く状態とされており、透光性カバーは、ケースと向き合う裏面（８ｂ）と、その反対側の表面（８ａ）と、表面と裏面との間の面である側面（８ｃ）と、表面と側面との境界が断面視にて角形状とされた角部（８ｄ）とを有しており、角部は、透光性カバーのうち額縁領域に位置する部分である周縁部（８２）に位置している。
【００１１】
これによれば、表示パネルは、非発光部が発光部と異なる方向を向くように湾曲した状態で、ケースと透光性カバーとの間に収容されている。そのため、発光部を正面から見た場合、表示パネルの一部が湾曲状態とされたことで、表示パネル全体が平板状態のときに比べて非発光部の面積が小さくなり、額縁領域が狭幅化された表示装置となる。また、透光性カバーが断面視にてその表面とその側面との境界が角形状とされることで、被搭載部品に搭載された際に、透光性カバーと被搭載部品との間に溝が生じない表示装置となる。言い換えると、この表示装置は、透光性カバーと被搭載部品とが連続性を有する形状となり、被搭載部品を表示装置の透光性カバーの形状に合わせて形状変更しなくても、意匠性の観点から好ましい状態となる。そのため、額縁領域を狭幅化しつつも、被搭載部品の意匠の自由度を損なわない表示装置となる。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態の表示装置を示す概略平面図である。
【図２】図１中に一点鎖線で示すII-II間の概略断面図である。
【図３】図１中に一点鎖線で示すIII-III間の概略断面図である。
【図４】表示パネルとフレキシブル配線との接続を示す概略斜視図である。
【図５】図４中に一点鎖線で示すV-V間の断面図である。
【図６】表示装置が被搭載部品に搭載された状態を示す模式図であり、（ａ）は透光性カバーのうち周縁部の断面形状が湾曲形状である場合を示す図であり、（ｂ）は透光性カバーのうち周縁部の断面形状が平坦形状である場合を示す図である。
【図７】湾曲させて表示パネルを収容することによる額縁領域の狭幅化を示すものであって、（ａ）は概略平面図であり、（ｂ）は（ａ）中に一点鎖線で示すVIB-VIB間の概略断面図である。
【図８】表示パネルのうち湾曲部分における曲率半径を示す概略図である。
【図９】表示領域のうち湾曲部分における発光状態を示す概略図である。
【図１０】ユーザが発光部を見る角度と色座標の変化との関係を示すグラフであって、（ａ）は一例であり、（ｂ）は他の一例である。
【発明を実施するための形態】
【００１４】
以下、本発明の実施形態について図に基づいて説明する。なお、以下の各実施形態相互において、互いに同一もしくは均等である部分には、同一符号を付して説明を行う。
【００１５】
（第１実施形態）
第１実施形態の表示装置１について、図１〜図５を参照して述べる。本実施形態の表示装置１は、他の被搭載部品に搭載され、これと一体的に使用されると好適である。例えば、表示装置１は、各種情報やメータなどが表示されるディスプレイであり、自動車などの車載用途の場合には、インストルメントパネルなどの内装部品（被搭載部品）に搭載され得るが、これに限定されるものではない。
【００１６】
図１では、以下の説明を簡略化して理解しやすくするため、便宜的に、紙面左右方向をＸ方向とし、紙面平面のうちＸ方向に直交する方向をＹ方向とし、ＸＹ平面に直交する方向をＺ方向としている。また、図１では、断面を示すものではないが、後述する表示領域１１および額縁領域１２を区別するため、表示領域１１にハッチングを施すと共に、後述する表示パネル２のうち表示領域１１よりも外側における外郭を破線で示している。図２、３では、表示領域１１および額縁領域１２を説明するための補助線を二点鎖線で示している。図４、図５では、表示パネル２のうち表示領域１１または額縁領域１２に位置する、後述の発光部２１および非発光部２２１、２２２を分かり易くするため、これらの領域の境界を二点鎖線で示している。また、図２〜５では、表示装置１についての理解を助けるため、図１に対応するＸ、Ｙ、Ｚ方向を示している。
【００１７】
（表示装置の構成）
本実施形態の表示装置１は、例えば図１に示すように、表示パネル２と、透光性カバー８とを有してなり、透光性カバー８を正面から見たとき、各種映像が表示される表示領域１１とこれを囲む枠体状の額縁領域１２とに区分される。表示装置１は、例えば図２、図３に示すように、表示パネル２および透光性カバー８のほか、配線３と、制御部４と、コネクタ部５と、ケース６と、光学接着材７とを備える。
【００１８】
表示パネル２は、例えば、可撓性のある基板と、当該基板上に形成された図示しないＯＬＥＤ（有機発光ダイオード）などの複数の発光素子（画素）およびこの駆動制御用のＴＦＴ（薄膜トランジスタ）とを有してなり、曲げられることが可能な構成とされる。
【００１９】
なお、ＯＬＥＤは、例えば、一対の電極間に、正孔注入層、正孔輸送層、発光層、電子輸送層、電子注入層などが順次積層されてなり、電圧を印加することで発光する構成とされる。ＴＦＴは、ゲート電極、ゲート絶縁層、半導体層、ソース電極およびドレイン電極を備え、ゲート電極の電圧調整により電流のオンオフを制御可能な素子であり、ＯＬＥＤの駆動制御などに用いられる。ＯＬＥＤやＴＦＴの構成や材料などについては、公知であるため、本明細書ではそれらの詳細の説明を省略するが、上記した例に限られず、任意の構成や材料が採用され得る。また、表示パネル２は、トップエミッション構造とされてもよいし、ボトムエミッション構造とされてもよい。
【００２０】
表示パネル２は、例えば図２に示すように、ケース６に透光性カバー８が取り付けられることで生じる収容空間９に端部側の一部の領域が湾曲した状態で収容される。具体的には、表示パネル２は、図２に示すように、表示領域１１に位置する発光部２１と、額縁領域１２に位置する非発光部２２とを備える。表示パネル２は、断面視にて、発光部２１と少なくとも非発光部２２の一部とがそれぞれ異なる方向を向くように湾曲した状態で収容されている。
【００２１】
なお、ここでいう「異なる方向を向く」とは、例えば図２に示すように、表示パネル２のうち透光性カバー８と向き合う一面２ａに対する法線方向が、部分的に異なる方向になっている状態を意味する。図２に示した一例では、表示パネル２のＹ方向の両端側の部分がＺ方向に向かって湾曲した状態とされ、発光部２１と非発光部２２の一部とが異なる方向を向く状態とされているが、この湾曲状態に限定されるものではない。
【００２２】
発光部２１は、図示しないＯＬＥＤおよびＴＦＴが形成された部分であり、映像を表示するために用いられ、図２に示すように表示領域１１に相当する。発光部２１は、本実施形態では、例えば図４に示すように、枠体状の非発光部２２に囲まれている。
【００２３】
非発光部２２は、例えば図４に示すように、ＴＦＴが配置されていない第１領域２２１と、その外側の領域である第２領域２２２とによりなる。表示パネル２のうち第１領域２２１の部分は、ＴＦＴが配置されてないため、ＴＦＴが配置された発光部２１よりも大きく湾曲させられることができる。表示パネル２のうち第２領域には、例えば、ＯＬＥＤやＴＦＴを駆動させるための図示しない外周配線などの各種配線が配置され得る。
【００２４】
表示パネル２は、この第１領域２２１に位置する部分が曲げられることで、例えば図２に示すように発光部２１と非発光部２２のうちＹ軸方向の両端に位置する部分とが異なる方向を向く湾曲形状とされている。このように、表示パネル２の一部が湾曲した状態で収容されることにより、額縁領域１２が狭幅化された表示装置１となる。なお、表示パネル２の湾曲形状や額縁領域１２の狭幅化の詳細については、後述する。
【００２５】
表示パネル２は、例えば図３に示すように、配線３を介して、制御部４に電気的に接続されている。配線３は、任意のフレキシブル配線であり、例えばＦＰＣなどである。
【００２６】
ここで、表示パネル２と配線３との接続の一例について簡単に説明する。配線３は、例えば図４に示すように、表示パネル２の非発光部２２のうちＸ方向の一端側に接続される。具体的には、配線３は、例えば図５に示すように、表示パネル２のうち第２領域２２２において、導電性接着剤３１を介して発光部２１に電流を供給するための図示しない外周配線に接続される。導電性接着剤３１としては、例えば、ＡＣＦ（異方導電性フィルム）やＡＣＰ（異方導電性ペースト）などの任意の導電性接着剤が用いられる。
【００２７】
なお、表示パネル２は、例えば図５に示すように、任意の可撓性基板２３とこの上に形成された機能層２４とを有してなり、機能層２４の一部が発光部２１とされ、その外側が非発光部２２とされている。機能層２４は、ＴＦＴ、ＯＬＥＤおよび封止材が積層されてなり、ＴＦＴおよびＯＬＥＤを備える部分が発光部２１に相当し、ＴＦＴおよびＯＬＥＤが形成されていない部分が非発光部２２の第１領域２２１に相当する。
【００２８】
また、配線３が表示パネル２の非発光部２２のうち透光性カバー８側において一か所で接続された例について述べたが、表示パネル２の非発光部２２と配線３との接続関係は、これに限定されるものではない。例えば、配線３は、２つ用いられ、表示パネル２の非発光部２２のうちＸ方向の両端の２箇所に接続されてもよく、表示パネル２の構造に合わせて、用いられる数量やその接続箇所などが適宜変更されてもよい。
【００２９】
制御部４は、表示パネル２の駆動条件を制御するための電子制御ユニットである。制御部４は、例えば、図示しないＣＰＵ、ＲＯＭ、ＲＡＭやＩ／Ｏなどを備えるＥＣＵであり、ＲＯＭなどに格納された各種プログラムをＣＰＵが読み込んで実行する構成とされる。制御部４は、例えば図３に示すように接続部４１を備え、配線３を介して表示パネル２に各種の電気信号を出力することで、表示パネル２の駆動条件の制御を行う。なお、制御部４による表示パネル２の制御については、後述する。
【００３０】
コネクタ部５は、制御部４と図示しない外部の電源等とを接続する図示しない配線を備える接続部材である。コネクタ部５は、図３に示す例では、ケース６のうち表示パネル２の反対側の底面から突き出る配置とされているが、これに限られず、形状や配置については適宜変更されてもよい。
【００３１】
ケース６は、例えば図２や図３に示すように、表示パネル２の一部、配線３および制御部４を収容可能な内部空間を有する筐体であり、任意の樹脂材料などによりなる。ケース６に透光性カバー８が任意の機械的な方法で取り付けられることで、表示パネル２、配線３および制御部４を収容可能な収容空間９が形成される。ケース６は、例えば有底筒状の筐体とされるが、制御部４などを収容可能であって、透光性カバー８が取り付けられる形状とされていればよく、形状や寸法などについては適宜変更されてもよい。
【００３２】
光学接着材７は、例えば図２、図３に示すように、表示パネル２を透光性カバー８の裏面８ｂにオプティカルボンディングにより貼り付けるための接着材である。光学接着材７は、例えばＯＣＡ（Optical Clear Adhesiveの略）やＯＣＲ（Optical Clear Adhesive Resinの略）とされる。光学接着材７は、例えば図２や図３に示すように、表示パネル２のうち少なくとも発光部２１と透光性カバー８との間に配置され、非発光部２２の一部と透光性カバー８との間に配置される。なお、図３では、光学接着材７が非発光部２２のうち表示パネル２と配線３との接続部分には配置されていない例を示しているが、光学接着材７は、当該接続部分に配置されてもよく、図２、図３に示した例に限られず、適宜配置が変更されてもよい。
【００３３】
透光性カバー８は、例えば図２に示すように、ケース６と向き合う裏面８ｂと、その反対面である表面８ａと、表面８ａおよび裏面８ｂとの間の側面８ｃとを有し、ケース６に取り付けられると共に、表示パネル２を覆う部材である。透光性カバー８は、表示パネル２の発光部２１からの光を透過する任意の透光性材料、例えばＰＣ（ポリカーボネート）、ＰＭＭＡ（ポリメチルメタクリレート）、ガラスなどによりなる。
【００３４】
以下、説明を簡略化して理解を助けるため、例えば図１〜図３に示すように、便宜的に、透光性カバー８のうち表示領域１１に相当する部分を「表示部８１」と称し、透光性カバー８のうち額縁領域１２に相当する部分を「周縁部８２」と称する。
【００３５】
透光性カバー８は、表示部８１においては、例えば図２や図３に示すように、表面８ａおよび裏面８ｂが平坦形状とされ、周縁部８２においては、表面８ａが平坦形状とされている。また、透光性カバー８は、周縁部８２においては、例えば図２に示すように、裏面８ｂのうち表示パネル２の湾曲部分と向き合う部分が当該湾曲形状に沿った湾曲形状とされ、裏面８ｂのうち残部が平坦形状とされている。つまり、透光性カバー８は、例えば表面８ａ全体が平坦面とされ、裏面８ｂのうち表示部８１の領域が平坦面とされ、裏面８ｂのうち周縁部８２の一部の領域が湾曲面とされている。
【００３６】
透光性カバー８は、表示装置１が被搭載部品に搭載された際に意匠性を損なわないようにするため、例えば図２、図３に示すように、断面視にて、表面８ａと側面８ｃとの境界部分が角形状とされた角部８ｄとされている。具体的には、透光性カバー８は、例えば図２に示すように、側面８ｃが断面視にて平坦形状とされ、角部８ｄが周縁部８２に位置する形状とされている。
【００３７】
ここで、透光性カバー８の周縁部８２における断面形状と意匠性との関係について、図６（ａ）、（ｂ）を参照して説明する。
【００３８】
図６（ａ）では、被搭載部品２００に従来の表示装置１００が搭載された様子を示し、図６（ｂ）では、被搭載部品２００に本実施形態の表示装置１が搭載された様子を示している。図６（ａ）、（ｂ）では、シンプル化して理解を助けるため、表示装置のうちケースおよび透光性カバー以外の構成要素を省略すると共に、被搭載部品２００のうち表示装置が搭載される部分付近のみを拡大して示している。
【００３９】
周縁部の端部が曲面形状とされた透光性カバー１０１を備える従来の表示装置１００を被搭載部品２００に搭載した場合、例えば図６（ａ）に示すように、透光性カバー１０１の当該曲面形状に起因する溝Ｇが生じる。このような溝Ｇが生じることは、意匠性の観点から好ましくない。
【００４０】
従来の表示装置１００を用いる場合において、溝Ｇを生じさせないためには、例えば、被搭載部品２００の表面のうち表示装置１００との境界部分の断面形状を表示装置１００の透光性カバー１０１の周縁部に合わせて変更することが考えられる。しかしながら、その場合、溝Ｇが生じないことで意匠性が向上するものの、被搭載部品２００の意匠の自由度が狭くなってしまう。
【００４１】
これに対して、本実施形態の表示装置１では、透光性カバー８が周縁部８２において角部８ｄとされているため、図６（ｂ）に示すように、被搭載部品２００への搭載状態において溝Ｇが生じない。言い換えると、透光性カバー８は、例えば図２に示すように、表面８ａのうち周縁部８２の領域と被搭載部品２００とが連続性を維持する形状とされることで溝Ｇの発生を防止し、搭載状態における意匠性を向上する役割を果たす。
【００４２】
なお、透光性カバー８は、搭載状態において角部８ｄと被搭載部品２００との間に隙間が生じない形状とされていればよく、上記した形状の例に限定されるものではなく、適宜形状が変更されてもよい。
【００４３】
また、ここでの「隙間が生じない」とは、角部８ｄと被搭載部品２００とが当接する状態だけでなく、これらが所定以下の隙間で配置され、ユーザが見た際に一体感が得られる状態も含む。
【００４４】
なお、角部８ｄの角度は、上記した搭載状態における溝を生じさせない観点から、直角または鋭角とされることが好ましい。
【００４５】
以上が、表示装置１の基本的な構成である。
【００４６】
本実施形態の表示装置１は、例えば次のような工程にて製造され得る。まず、公知の方法により製造された各構成部材を用意した後、ケース６の収容部６１に制御部４およびコネクタ部５を収容する。次いで、表示パネル２に配線３を接続し、透光性カバー８の裏面８ｂに光学接着材７を用いて、当該表示パネル２をオプティカルボンディングにより貼り付ける。このとき、表示パネル２は、非発光部２２が発光部２１と異なる方向を向くように一部が湾曲した状態となる。そして、配線３のうち表示パネル２に接続された一端の反対側の他端を制御部４の接続部４１に接続した後、透光性カバー８をケース６に取り付ける。なお、上記した表示装置１の製造方法は、あくまで一例であり、適宜変更されても構わない。
【００４７】
（額縁領域の狭幅化）
次に、表示パネル２の一部が湾曲した状態で収容されることによる額縁領域１２の狭幅化について、図７（ａ）、（ｂ）を参照して説明する。
【００４８】
図７（ａ）では、仮に表示パネル２全体が平板状態とされた場合における表示パネル２の外郭を破線で示し、この場合において透光性カバー８に必要となる外郭を二点鎖線で示している。また、図７（ａ）、（ｂ）では、表示装置１についての理解を助けるため、図１に対応するＸ、Ｙ、Ｚ方向を示している。
【００４９】
まず、表示パネル２全体が平板状態、すなわち曲げられていない状態である場合における額縁領域１２について説明する。
【００５０】
表示パネル２が平板状態である場合、表示装置１を透光性カバー８の表面８ａに対する法線方向（以下「表面法線方向」という）から見たとき、例えば図７（ａ）の破線で示すように、表示パネル２の平面サイズが大きくなる。具体的には、図７（ｂ）に示すように、非発光部２２が発光部２１と同一平面上に配置されているため、表面法線方向から見て、その分だけ非発光部２２の平面サイズが大きくなる。この場合、例えば図７（ａ）の二点鎖線で示すように、非発光部２２を覆う透光性カバー８の平面サイズを大きくしなければならない。
【００５１】
しかしながら、額縁領域１２に位置する領域である非発光部２２の平面サイズが大きくなることは、額縁領域１２の広幅化を意味し、意匠性の観点からは好ましくない。
【００５２】
これに対して、本実施形態の表示装置１では、表示パネル２が図７（ｂ）に示すように、湾曲状態とされている。具体的には、表示パネル２は、発光部２１と非発光部２２との境界付近で曲げられ、断面視にて発光部２１がＹ方向に沿った略平板状とされつつ、非発光部２２がＺ方向に沿う状態とされ、この状態で収容空間９に収容される。
【００５３】
そのため、表示パネル２のうち非発光部２２の平面サイズは、図７（ｂ）の白抜き矢印で示すように、湾曲状態とされた分だけ小さくなる。結果として、額縁領域１２のうち非発光部２２の占める割合が小さくなり、表示パネル２を平板状のまま配置した従来構造の表示装置に比べて、額縁領域１２が狭幅化される。
【００５４】
例えば、非発光部２２の平板状態におけるＹ方向の寸法がそれぞれ７ｍｍ程度である場合、図７（ｂ）のように湾曲させることで、その曲げ具合にもよるが、非発光部２２は、湾曲状態におけるＹ方向の寸法がそれぞれ１〜２ｍｍ程度となる。つまり、非発光部２２の湾曲状態におけるＹ方向の寸法が両端でそれぞれ約５ｍｍ小さくなり、額縁領域１２は、合計で約１０ｍｍ程度狭幅化する。このように、表示パネル２を一部湾曲させた状態で収容する構造とすることにより、額縁領域１２が狭幅化した表示装置１となる。
【００５５】
（制御部４による輝度調整）
次に、制御部４による輝度調整の制御について、図８、図９を参照して説明する。
【００５６】
図８では、表示パネル２のうち湾曲した部分を含む一部分を拡大して示しており、他の部分については省略している。図９では、図８と同様に表示パネル２のうち湾曲した部分を含む一部分を示し、透光性カバー８のうち当該一部分を覆う部分を示すと共に、他の部分について省略している。
【００５７】
まず、発光部２１および非発光部２２の湾曲状態について、図８を参照してより詳しく説明する。
【００５８】
発光部２１は、表示パネル２が湾曲した状態とされることで、図８に示すように、平坦形状である平坦発光部２１１と、非発光部２２に隣接する部分であって湾曲形状とされた部分である湾曲発光部２１２とを有することとなる。
【００５９】
このとき、図８に示すように、湾曲発光部２１２のうち他面２ｂ（一面２ａの反対面）における曲率半径をＲ１とし、非発光部２２の湾曲発光部２１２に隣接する部分の他面２ｂにおける曲率半径をＲ２として、表示パネル２は、Ｒ１＞Ｒ２の湾曲状態となる。これは、可撓性のある表示パネル２のうちＴＦＴが配置されていない非発光部２２が、より大きく湾曲させられることができ、その分だけ額縁領域１２を狭幅化できるためである。例えば、限定するものではないが、Ｒ１は１００以上とされる場合、Ｒ２は１０程度とされる。
【００６０】
制御部４は、表面法線方向（使用者の視野方向）から見て、平坦発光部２１１の輝度と湾曲発光部２１２の輝度とを同程度とする輝度制御、すなわち視野方向における見かけの輝度差を低減する輝度制御を行う。以下、説明する輝度制御は、表示装置１が湾曲発光部２１２からの光であって、表面８ａのうち額縁領域１２から放射される光を遮らない構成とされた場合に行われると好適である。このような構成は、表示装置１の意匠の自由度がより広くなるため、好ましい。
【００６１】
具体的には、図９に示すように、平坦発光部２１１からその一面２ａに対して垂直な方向に垂直放射される光をＬ１とし、湾曲発光部２１２からその一面２ａに対して垂直な方向に垂直放射される光をＬ２とする。そして、湾曲発光部２１２から放射される光のうちＬ１と平行な方向に照射される光をＬ３とすると、湾曲発光部２１２の視野方向において使用者に視認される見かけの輝度は、Ｌ３の輝度であり、Ｌ２の輝度よりも下がってしまう。つまり、平坦発光部２１１と湾曲発光部２１２とを同一輝度（すなわちＬ１の輝度＝Ｌ２の輝度）で発光させても、視認方向における見かけの輝度は、Ｌ１およびＬ３であるため、輝度差による視覚上の違和感が生じてしまう。
【００６２】
そこで、制御部４は、視認性を向上させるため、Ｌ１の輝度とＬ３の輝度とを同程度にするように発光部２１の駆動条件の制御を行う。
【００６３】
なお、ここでいう「同程度」とは、光Ｌ１の輝度と光Ｌ３の輝度とが同一の状態だけでなく、これらの輝度差が使用者に視覚上の違和感を覚えさせない程度の所定の値以下（限定するものではないが、例えば数ｃｄ／ｍ２以下）である状態をも含む。
【００６４】
例えば、制御部４は、湾曲発光部２１２の見かけの輝度（Ｌ３の輝度）が平坦発光部２１１の輝度（Ｌ１の輝度）と同程度になるように、駆動条件の補正を行う。具体的には、図９に示すように、断面視にて、湾曲発光部２１２から生じるＬ２とＬ３とのなす角度のうち鋭角のものを「湾曲角度θ」とすると、Ｌ２の輝度とＬ３の輝度との関係は、次の（１）式で表される。
【００６５】
（Ｌ３の輝度）＝（Ｌ２の輝度）×ｃｏｓθ・・・（１）
なお、湾曲角度θは、湾曲発光部２１２が曲げられた角度と言い換えられることもでき、湾曲発光部２１２の曲率半径Ｒ１から導出され得る。
【００６６】
制御部４は、例えば、（１）式の関係を利用し、Ｌ２の輝度が（１／ｃｏｓθ）倍となるように湾曲発光部２１２に配置された各画素の駆動電流値（階調）を上げる補正を行う。これにより、Ｌ１の輝度とＬ３の輝度が同一となり、視野方向における視覚上の違和感がなくなる。
【００６７】
このような制御は、例えば、湾曲角度θに対応した電流値の上昇率のデータテーブルおよびこれに対応した補正プログラムを予めＲＯＭなどに格納しておき、任意の方法で湾曲角度θを取得し、ＣＰＵがこれらのデータを読み込んで実行することで可能である。
【００６８】
湾曲角度θの取得方法としては、限定するものではないが、歪みゲージなどを利用することなどが挙げられる。また、例えば、透光性カバー８の裏面８ｂの湾曲部分に沿って貼り付けて保持することなどにより、表示パネル２の湾曲角度θを所定の値に固定し、予め所定の湾曲角度θや補正用のデータテーブルなどをＲＯＭなどに記憶させておき、これを用いてもよい。後者の場合には、湾曲角度θを取得するための別途のデバイスは不要である。
【００６９】
なお、制御部４は、Ｌ１とＬ３との輝度差を低減できればよく、湾曲発光部２１２の輝度を上げるだけでなく、平坦発光部２１１の輝度を下げる輝度制御を実行してもよいし、発光部２１１、２１２双方の輝度を変更する制御を実行してもよい。また、湾曲発光部２１２での輝度制御は、湾曲発光部２１２内における湾曲角度θの幅に応じて、場所ごとに連続的に行われる。
【００７０】
また、図９に示すＹ方向が使用者から見て上下方向となり、かつ使用者が表示装置１を上方向から見下すように表示装置１が配置される場合には、制御部４は、上方向に位置する湾曲発光部２１２のみ輝度制御を行ってもよい。このような配置の場合、下方向に位置する湾曲発光部２１２からの光は、使用者に届かず、見かけの輝度低下による視認性悪化の原因となりにくいためである。
【００７１】
一方、図９に示すＹ方向が使用者から見て左右方向となるように表示装置１が配置される場合には、左右それぞれの湾曲発光部２１２による見かけの輝度低下を感じやすいため、制御部４は、双方の湾曲発光部２１２について輝度制御を行うことが好ましい。
【００７２】
本実施形態によれば、表示パネル２の一部が湾曲した状態で収容され、視野方向における非発光部２２の平面サイズが従来よりも小さくなるため、額縁領域１２が狭幅化された表示装置１となる。また、透光性カバー８の周縁部８２に角部８ｄが存在するため、被搭載部品２００への搭載状態において、被搭載部品２００との連続性を有する外観となり、搭載状態での意匠性に優れる表示装置１となる。したがって、額縁領域１２を狭幅化しつつも、搭載状態での意匠性に優れた表示装置１が実現される。
【００７３】
（第２実施形態）
第２実施形態の表示装置における制御部４による色度補正について、図１０（ａ）、（ｂ）を参照して述べる。
【００７４】
図１０（ａ）、（ｂ）では、使用者が発光部２１を見る角度と色度座標の変化との関係の一例を示しており、横軸の角度が０°とは、使用者が正面方向（発光部２１の一面２ａに対する法線方向）から発光部２１を見ている状態であることを意味する。また、図１０（ａ）、（ｂ）における角度は、使用者が発光部２１を正面視している際の視線の角度を基準（０°）とし、便宜的に、正面に対して右方向にずれた位置から発光部２１を見ている場合を正とし、その逆を負として示している。さらに、図１０（ａ）、（ｂ）における縦軸Δｕ´ｖ´は、ＣＩＥＬＵＶ色空間における色座標のうちｕ´ｖ´と正面（角度０°）の状態におけるｕ´ｖ´との差を示すものである。
【００７５】
本実施形態の表示装置は、制御部４がさらに湾曲発光部２１２の色度補正のための駆動条件の制御を行う点において上記第１実施形態と相違する。本実施形態では、この相違点について主に説明する。
【００７６】
制御部４は、本実施形態では、平坦発光部２１１と湾曲発光部２１２との色度の差を低減するための色度補正も行う構成とされる。
【００７７】
具体的には、発光部２１をその一面２ａに対する法線方向から見た状態を「正面から見た状態」とすると、使用者は、平坦発光部２１１を正面から見た状態では、湾曲発光部２１２を正面と異なる方向から見ることとなる。このとき、例えば図１０（ａ）に示すように、発光部２１の色度は、正面から見たときの使用者の視線方向と正面以外から見たときの使用者の視線方向との角度に応じて変化する。すると、使用者は、表示領域１１に表示される映像のうち平坦発光部２１１によるものと湾曲発光部２１２によるものとの間に色度の差を感じてしまい、視覚上の違和感を覚えてしまい得る。制御部４は、湾曲発光部２１２の色度を駆動条件の変更により補正し、視覚上の違和感を低減する役割を果たす。
【００７８】
制御部４は、湾曲発光部２１２と平坦発光部２１１との色度差が湾曲発光部２１２の湾曲角度θに依存することを利用して、湾曲発光部２１２の駆動条件の補正を行う構成とされる。制御部４は、例えば、湾曲角度θと色度とのデータテーブル、および湾曲角度θに対応して湾曲発光部２１２を構成する発光色の異なる複数の画素の輝度を変更する補正プログラムが予めＲＯＭなどに格納され、ＣＰＵがこれを読み込んで実行する構成とされる。
【００７９】
具体的には、発光部２１を構成する画素が例えば赤（Ｒ）、緑（Ｇ）および青（Ｂ）の３種の発光色の副画素を有した構成とされている場合、制御部４は、湾曲発光部２１２におけるＲＧＢそれぞれの副画素の輝度を調整するための駆動条件の補正を行う。
【００８０】
つまり、制御部４は、例えば図９に示すＬ１とＬ３との色度差を低減する補正、言い換えると、湾曲発光部２１２の色度を湾曲発光部２１２が平板状態とされた場合における色度と同程度とする補正を実行する。
【００８１】
なお、図１０（ａ）に示した角度と色度との関係は、あくまで一例であり、ＯＬＥＤの素子構成などにより例えば図１０（ｂ）のように変化し得る。この場合、当該ＯＬＥＤに応じて角度と色度とのデータテーブルが適宜変更されることは言うまでもなく、角度と色度の関係は、図１０（ａ）、（ｂ）の例に限定されない。さらに、図１０（ａ）、（ｂ）では、発光部２１に対して使用者の視線が左右の方向にずれた場合の色度について説明したが、上下の方向にずれた場合であっても同様の考え方で色度の補正を実行してもよい。
【００８２】
本実施形態の表示装置によれば、上記第１実施形態の効果に加えて、平坦発光部２１１と湾曲発光部２１２との色度の差を低減し、さらに視覚上の違和感が抑制される効果が得られる。
【００８３】
（第３実施形態）
次に、第３実施形態の表示装置における制御部４による画像補正について説明する。
【００８４】
本実施形態の表示装置は、制御部４が、湾曲発光部２１２が平坦発光部２１１と異なる方向を向くことに起因する映像の歪みを補正するための画像補正も行う点で上記第１実施形態と相違する。本実施形態では、この相違点について主に説明する。
【００８５】
制御部４は、本実施形態では、透光性カバー８を介して屈折した状態で視野方向に放射される湾曲発光部２１２からの光（以下「屈折光」という）に起因する、表示領域１１での映像の歪みを補正する構成とされる。具体的には、屈折光は、湾曲発光部２１２のうち平坦発光部２１１側から非発光部２２側に近づくほど、すなわち湾曲発光部２１２内における湾曲角度θの変化に応じて、その屈折度合いが変化する。つまり、湾曲発光部２１２による映像は、額縁領域１２側に近づくほど、屈折光の屈折度合いの変化による歪みが生じた状態となる。制御部４は、この湾曲発光部２１２の湾曲形状に起因する映像の歪み補正を行う。
【００８６】
映像の歪み補正は、例えば次のような方法などにより行われ得る。まず、湾曲発光部２１２の湾曲角度θと透光性カバー８を構成する材料の屈折率とに基づいて、映像の歪みがどの程度生じるか予めシミュレーションなどにより算出しておく。そして、制御部４は、湾曲発光部２１２が湾曲した状態となる前、すなわち平坦発光部２１１と同じ平板状態であるとした場合に表示される映像と同じ映像となるように、公知の幾何学的な変換を行うように構成する。湾曲発光部２１２による映像の歪み度合いが湾曲角度θに依存するため、例えば湾曲角度θに対応する幾何学変換のためのデータテーブルと、これに対応する任意の幾何学変換用の映像補正プログラムをＲＯＭなどに格納しておく。そして、制御部４は、ＣＰＵが湾曲角度θを取得した後、上記したデータテーブルを読み込んで映像補正プログラムを実行する。なお、映像の幾何学的変換については、任意の方法が採用される。
【００８７】
本実施形態の表示装置によれば、上記第１実施形態の効果に加えて、さらに湾曲発光部２１２の湾曲状態に起因する映像の歪みを補正する効果が得られる。
【００８８】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【００８９】
（１）例えば、上記第１実施形態では、表示パネル２が、非発光部２２のうちＹ方向における一端とその反対側の他端のとの両端で湾曲した形状とされた例について説明したが、非発光部２２のうち一端側だけで湾曲した形状とされてもよい。後者の場合であっても、非発光部２２の視野方向から見た平面サイズが小さくなるため、額縁領域１２が狭幅化される。
【００９０】
（２）また、上記第１実施形態では、表示パネル２が、例えば図７に示すように、平板状態において長方形板状とされ、その短手方向における両端で湾曲した形状で収容された例について説明した。しかしながら、表示パネル２の平面形状やその湾曲部分は、図７の例に限られず、適宜変更されてもよい。例えば、表示パネル２は、長方形板状とされ、長手方向における一端側または両端側で湾曲した状態とされてもよいし、正方形板状とされ、一端側または両端側で湾曲した状態とされてもよく、他の任意の形状や湾曲状態とされても構わない。
【００９１】
（３）上記各実施形態において、発光部２１（特に湾曲発光部２１２）からの光であって、表面８ａのうち額縁領域１２から放射される光を遮る構成としてもよい。例えば、透光性カバー８の表面８ａもしくは裏面８ｂなどの一部に黒色印刷を施すことで、額縁領域１２から放射される光を隠すことができる。額縁領域１２からの光を遮る構成とした場合には、表示領域１１のうち額縁領域１２付近での見かけの輝度の低下を使用者が認識しにくくなり得る。このような場合には、制御部４は、上記第１実施形態で説明した輝度補正を実行しない構成とされてもよい。
【００９２】
なお、制御部４は、ＯＬＥＤの焼きつきを抑制するための公知の輝度補正を行う構成とされてもよい。
【００９３】
（４）上記各実施形態は、自由に組み合わせられてもよいことは言うまでもない。
【符号の説明】
【００９４】
１    表示装置
１１  表示領域
１２  額縁領域
２    表示パネル
２１  発光部
２２  非発光部
８    透光性カバー
８１  周縁部
【図１】
2020091369.tif 000003
【図２】
2020091369.tif 000004
【図３】
2020091369.tif 000005
【図４】
2020091369.tif 000006
【図５】
2020091369.tif 000007
【図６】
2020091369.tif 000008
【図７】
2020091369.tif 000009
【図８】
2020091369.tif 000010
【図９】
2020091369.tif 000011
【図１０】
2020091369.tif 000012